(57)【要約】  ベルトフィルタ９００のための調整可能真空釜組立体１９０が開示される。調整可能真空釜組立体１９０が、フィルタ９００のフレーム部分９３０に取り付けられるように構成されるアーム１４０と、アーム１４０に調整可能に接続される真空釜１５０と、アーム１４０に動作可能に結合されるカム１７０とを備える。カム１７０がアーム１４０に対して回転可能であり、真空釜１５０の一部分１５７に接触する周囲表面を有する。組立体１９０が、アーム１４０に対して回転するのに抵抗するようにカム１７０を保持するように機能する係止部材１６９をさらに備える。【選択図】図３
2014534064.tif 000002
【特許請求の範囲】
【請求項１】
調整可能真空釜組立体（１９０）を有するベルトフィルタ（９００）であって、前記調整可能真空釜組立体（１９０）が、
前記ベルトフィルタ（９００）のフレーム部分（９３０）に取り付けられるアーム（１４０）と、
前記アーム（１４０）に調整可能に接続される真空釜（１５０）と、
前記アーム（１４０）に動作可能に結合されるカム（１７０）であって、前記カム（１７０）が前記アーム（１４０）に対して回転可能であり、前記真空釜（１５０）の一部分（１５７）に接触する周囲表面を有する、カム（１７０）と、
前記アーム（１４０）に対して回転するのに抵抗するように前記カム（１７０）を保持するように構成される係止部材（１６９）と
を備え、
前記カム（１７０）の回転角度位置を変化させることにより前記真空釜（１５０）と前記アーム（１４０）との間の間隔が効果的に変化し、それにより、それらの間のずれの補償量を提供する
ベルトフィルタ（９００）。
【請求項２】
前記アーム（１４０）が、前記ベルトフィルタ（９００）の前記フレーム部分（９３０）に枢動可能に取り付けられる揺動アームである、請求項１に記載のベルトフィルタ（９００）。
【請求項３】
前記カム（１７０）が、少なくとも一方向において前記アーム（１４０）に対して調整可能に位置決めされ得るブラケット（１６０）を介して前記アーム（１４０）に動作可能に結合される、請求項１に記載のベルトフィルタ（９００）。
【請求項４】
前記係止部材（１６９）が、前記真空釜（１５０）と前記アーム（１４０）との間の間隔を維持するために前記カム（１７０）上の複数の係合表面（１７８）のうちの１つに選択的に係合される、請求項１に記載のベルトフィルタ（９００）。
【請求項５】
前記カム（１７０）がそれにトルクを適用するための手段（１７１）を備える、請求項１に記載のベルトフィルタ（９００）。
【請求項６】
前記カム（１７０）がピン（１６５）によって画定される軸のまわりを回転し、前記軸に沿う前記カム（１７０）の位置が調整され得、さらには制限または維持され得る、請求項１に記載のベルトフィルタ（９００）。
【請求項７】
前記軸に沿う前記カム（１７０）の前記位置が止め部（１５４）によって制限または維持される、請求項７に記載のベルトフィルタ。
【請求項８】
前記軸に沿う前記カム（１７０）の前記位置が１つまたは複数の保持部（１６４、１６６）によって制限または維持される、請求項７に記載のベルトフィルタ。
【請求項９】
調整可能真空釜組立体（１９０）であって、
フィルタ（９００）のフレーム部分（９３０）に取り付けられるように構成されるアーム（１４０）と、
前記アーム（１４０）に調整可能に接続される真空釜（１５０）と、
前記アーム（１４０）に動作可能に結合されるカム（１７０）であって、前記カム（１７０）が前記アーム（１４０）に対して回転可能であり、前記真空釜（１５０）の一部分（１５７）に接触する周囲表面を有する、カム（１７０）と、
前記アーム（１４０）に対して回転するのに抵抗するように前記カム（１７０）を保持するように構成される係止部材（１６９）と
を備え、
前記カム（１７０）の回転角度位置を変化させることにより前記真空釜（１５０）と前記アーム（１４０）との間の間隔が効果的に変化し、それにより、それらの間のずれの補償量を提供する
調整可能真空釜組立体（１９０）。
【請求項１０】
前記アーム（１４０）が、前記フィルタ（９００）の前記フレーム部分（９３０）に枢動可能に取り付けられる揺動アームである、請求項９に記載の調整可能真空釜組立体（１９０）。
【請求項１１】
前記カム（１７０）が、少なくとも一方向において前記アーム（１４０）に対して調整可能に位置決めされ得るブラケット（１６０）を介して前記アーム（１４０）に動作可能に結合される、調整可能真空釜組立体（１９０）。
【請求項１２】
前記係止部材（１６９）が、前記真空釜（１５０）と前記アーム（１４０）との間の間隔を維持するために前記カム（１７０）上の複数の係合表面（１７８）のうちの１つに選択的に係合される、請求項９に記載の調整可能真空釜組立体（１９０）。
【請求項１３】
前記カム（１７０）がそれにトルクを適用するための手段（１７１）を備える、請求項９に記載の調整可能真空釜組立体（１９０）。
【請求項１４】
前記カム（１７０）がピン（１６５）によって画定される軸のまわりを回転し、前記軸に沿う前記カム（１７０）の位置が調整され得、さらには制限または維持され得る、請求項９に記載の調整可能真空釜組立体（１９０）。
【請求項１５】
前記軸に沿う前記カム（１７０）の前記位置が止め部（１５４）によって制限または維持される、請求項１４に記載の調整可能真空釜組立体（１９０）。
【請求項１６】
前記軸に沿う前記カム（１７０）の前記位置が１つまたは複数の保持部（１６４、１６６）によって制限または維持される、請求項１４に記載の調整可能真空釜組立体（１９０）。
【請求項１７】
従来の真空釜組立体（９９０）の調整性を向上させるキットであって、前記キットが、
フィルタ（９００）のアーム（１４０）またはフレーム部分（１３０）に設置されるように構成されるブラケット（１６０）と、
前記ブラケット（１６０）に動作可能に結合されるように構成されるカム（１７０）であって、前記カム（１７０）が前記ブラケット（１６０）に対して回転可能であり、真空釜（１５０）の一部分に接触するように構成される周囲表面を有する、カム（１７０）と
前記ブラケット（１６０）に対して回転するのに抵抗するように前記カム（１７０）を保持するように構成される係止部材（１６９）と
を備え、
使用時、前記カム（１７０）の回転角度位置を変化させることにより真空釜（１５０）と前記ブラケット（１６０）との間の間隔が効果的に変化し、それにより、それらの間のずれの補償量を提供する
キット。
【請求項１８】
前記アーム（１４０）が、前記フィルタ（９００）の前記フレーム部分（９３０）に枢動可能に取り付けられる揺動アームである、請求項１７に記載のキット。
【請求項１９】
前記ブラケット（１６０）がフィルタ（９００）の前記アーム（１４０）またはフレーム部分（１３０）に動作可能に結合され、少なくとも一方向においてフィルタ（９００）の前記アーム（１４０）またはフレーム部分（１３０）に対して調整可能に位置決めされ得る、請求項１７に記載のキット。
【請求項２０】
前記係止部材（１６９）が、真空釜（１５０）とフィルタ（９００）のアーム（１４０）またはフレーム部分（１３０）との間の間隔を維持するために前記カム（１７０）上の複数の係合表面（１７８）のうちの１つに選択的に係合される、請求項１７に記載のキット。
【請求項２１】
前記カム（１７０）がそれにトルクを適用するための手段（１７１）を備える、請求項１７に記載のキット。
【請求項２２】
前記カム（１７０）がピン（１６５）によって画定される軸のまわりを回転し、前記軸に沿う前記カム（１７０）の位置が調整され得、さらには制限または維持され得る、請求項１７に記載のキット。
【請求項２３】
前記軸に沿う前記カム（１７０）の前記位置が止め部（１５４）によって制限または維持される、請求項２２に記載のキット。
【請求項２４】
前記軸に沿う前記カム（１７０）の前記位置が１つまたは複数の保持部（１６４、１６６）によって制限または維持される、請求項１９に記載のキット。
【請求項２５】
既に存在する従来の真空釜（９５０）または真空釜取付具（９５７）に対して固定されるように構成される１つまたは複数の取付具（１５７）あるいはアダプタをさらに備える、請求項１９に記載のキット。
【請求項２６】
前記１つまたは複数の取付具（１５７）あるいはアダプタが少なくとも１つの止め部（１５４）を備える、請求項２５に記載のキット。
【請求項２７】
フィルタ（９００）内の従来の真空釜組立体（９９０）の調整性を向上させる方法であって、
前記フィルタ（９００）のアーム（１４０）またはフレーム部分（１３０）にカム（１７０）を提供するステップであって、前記カム（１７０）が前記揺動アーム（１４０）またはフレーム部分（１３０）に対して回転可能であり、既に存在する従来の真空釜（９５０）の一部分（９５７）、構成要素またはアダプタに接触するように構成される周囲表面を有する、ステップと、
前記アーム（１４０）またはフレーム部分（１３０）に対して回転するのに抵抗するように前記カム（１７０）を保持するための係止部材（１６９）を提供するステップと、
真空釜（１５０）と前記アーム（１４０）またはフレーム部分（１３０）との間の間隔を効果的に変化させて、それによりそれらの間のずれの適切な補償量を提供するために前記カム（１７０）の回転角度位置を変化させるステップと
前記係止部材（１６９）を使用して前記カム（１７０）を回転しないように係止するステップと、
真空釜（１５０）と前記アーム（１４０）またはフレーム部分（１３０）との間の適切な間隔を維持するステップと
を含む方法。
【発明の詳細な説明】
【関連出願の相互参照】
【０００１】
本出願は、２０１１年１１月３日に出願された米国仮特許出願第６１／５５５，０４０号の優先権を主張するものである。
【技術分野】
【０００２】
本発明は濾過プロセスおよび設備に関し、より詳細には、特には鉱物処理で使用されるための水平ベルトフィルタ装置に関する。
【背景技術】
【０００３】
図１、２および４が、従来の真空釜組立体９９０を有する水平ベルトフィルタ９００を示す。水平ベルトフィルタ９００が、フレーム９３０と、複数のリターンローラ９２０と、スラリ（図示せず）からの流体または湿気をベルト９１０の下方に配置される従来の真空釜組立体９９０まで通過させるように構成される中に設けられる多数の孔９１２を有する排流ベルト９１０とを備える。ベルト９１０が濾布などのフィルタ媒体９１４を支持する。従来の真空釜組立体９９０は、第１の枢動部材９４６と、フレーム９３０に設けられる第２の枢動部材９３６とを有する枢動ブラケット９４１を介して上記のフレーム９３０に枢動可能に取り付けられる揺動アーム９４０を備える。細長い入口９５１および流路９５２を有する真空釜９５０が、真空釜１５０上の少なくとも１つの取付具９５７を通過する多数の固定具９５３を介して揺動アーム９４０に設置される。多数のアパーチャ９５５を有する摩耗プレート９５９が真空釜１５０とベルト９１０との間で犠牲界面（ｓａｃｒｉｆｉｃｉａｌ  ｉｎｔｅｒｆａｃｅ）として機能することができる。摩耗プレート９５９内のアパーチャ９５５により、スラリから孔９１２を通過する流体および湿気が、ベルト９１０の下方に配置される従来の真空釜組立体９９０に入ることが可能となる。枢動ブラケット９４１および第１の枢動部材９４６の反対側で、第１の固定部分９４４が揺動アーム９４０の遠位端に設けられる。第１の固定部分９４４は、フィルタ９００のフレーム９３０上の所定の位置に設けられる相補的な第２の固定部分（図示せず）に対合するように構成される。第１の固定部分９４４と第２の固定部分（図示せず）との間の係合が真空釜９５０および摩耗プレート９５９をベルト９１０に密に繋げた状態で維持するように働く。
【０００４】
図２および３に最も良好に示されるように、少なくとも１つのシム９６０が、通常、ベルト９１０内の孔９１２に対して真空釜９５０の入口９５１を良好に位置合わせするために、また場合によっては、真空釜９５０の傾きをベルト９１０の傾斜に適合させるように調整するために、揺動アーム９４０と取付具９５７との間に配置される。シム９６０の正確な数および／または構成はフィルタ９００の長手方向に沿って各揺動アーム９４０と取付具９５７との間で変化してよく、ベルト９１０が継続的に摩擦することを原因として摩耗プレート９５９の一部分が寸法変化する（例えば、厚さ）ときに、頻繁に変化する。
【０００５】
シム９６０を使用することの大きな欠点は、使用された摩耗プレート９５９をより厚い新しい摩耗プレートに取り替えるとき（または、定期的な保守点検または洗浄のために、真空釜９５０自体などの、従来の真空釜組立体９９０の任意の部分を取り外す必要があるとき）、揺動アーム９４０を基準とした真空釜９５０の位置を「工場出荷設定」のアライメント構成に修復するための単純な手法がないことである。言い換えると、摩耗した薄い摩耗プレート９５９を用いるときに使用する必要があるシム９６０は、新しい厚い摩耗プレート９５９を入れるときに組立体９９０から取り外されることから、ベルト９１０に対して真空釜９５０を適切に再位置合わせするためにより少ない数の新しい構成に置き換えられる必要がある。このような再構成および調整ステップは無駄なダウンタイムおよび労力を必要とする。
【０００６】
上述の問題に加えて、通常、シムは各シムの位置に合わせて個別に製作される。真空釜に対してベルトを位置合わせするためにおよびベルト９１０と真空釜組立体９９０との間で適切な真空シールを形成するために必要となる所望の高さを得るには、各シム箇所のところで多様な厚さの複数のシムが必要となる。シム９６０は、頻繁に、失われたり、取り違えられたり、誤って他のシム９６０と混同されたりすることから、定期的な保守点検中に真空釜９５０の位置を調整するために追加のシム９６０を迅速に製作して提供する必要がある場合もある。
【０００７】
操作中、ねじジャッキが定位置で短時間「動かなく」なることがしばしばあり、それにより、定期的な保守点検中に真空釜９５０の高さを調整したり真空釜９５０を取り外したりすることが不可能となる。シム９６０またはねじジャッキ（図示せず）のいずれも、保守点検の調整が実施された後で真空釜９５０の「工場設定の高さ位置」を再び得るための迅速かつ効率的な手法を可能にするわけではない。
【０００８】
従来、真空釜９５０を水平方向に調整することには、通常、組み立て時に現場で揺動アームに対して調整プレート（図示せず）を溶接することが伴われる。現場で溶接を行うことにより、溶接領域を追加的に洗浄することおよび保護のために再塗装を行うことが必要となる。これらの追加のステップにより総試運転時間およびコストが増大する。さらに、溶接を行うことにより、高価な構成要素（例えば、ベルト９１０）が損傷する可能性がある。
【発明の概要】
【発明が解決しようとする課題】
【０００９】
したがって、本発明の目的は、定期的な保守点検中に使用者のためにダウンタイムを短縮する真空釜組立体を提供することである。
また、本発明の目的は、必要となる仮組み立て時間を短縮し、溶接およびその後の保護のための塗装を必要としない真空釜組立体を提供することである。
【００１０】
また、本発明の目的は、シムおよびジャッキを使用する現在のフィルタと共に使用されるように容易に適合および構成される真空釜組立体調整機構を提供することであり、それにより有益なアフターマーケットの変換キットが得られる。
【００１１】
また、本発明の目的は、フィルタの使用者が単一の機構を使用して垂直方向および水平方向の両方で真空釜を調整するのを可能にするデバイスを提供することである。
また、本発明の目的は、別個に溶接される調整プレートを用意することおよび組立体内で溶接を行うことを必要とすることなく水平方向に調整を行うのを可能にする調整手段を真空釜に提供することである。
【課題を解決するための手段】
【００１２】
本発明のこれらのおよび別の多くの目的が本明細書の図面および説明より明確となる。本発明のすべての目的が本発明の少なくとも１つの実施形態によって達成されると考えられるが、本発明の目的のすべてを達成するような本発明の一実施形態が必ずしも存在するわけではない。
【００１３】
ベルトフィルタのための調整可能真空釜組立体が開示される。調整可能真空釜組立体が、フィルタのフレーム部分に取り付けられるように構成されるアームと、アームに調整可能に接続される真空釜と、アームに動作可能に結合されるカムとを備える。アームが、ベルトフィルタの上記のフレーム部分に枢動可能に取り付けられる揺動アームを備えることができる。カムがアームを基準に回転可能であり、真空釜の一部分に接触する周囲表面を有する。組立体が、アームに対して回転するのに抵抗するようにカムを保持するように機能する係止部材をさらに備える。カムの回転角度位置（ａｎｇｕｌａｒ  ｒｏｔａｔｉｏｎａｌ  ｐｏｓｉｔｉｏｎ）を変化させることにより真空釜とアームとの間の間隔が効果的に変化し、それにより、それらの間のずれの補償量を提供する。一部の実施形態では、カムが、少なくとも１つの方向においてアームに対して調整可能に位置決めされ得るブラケットを介してアームに動作可能に結合される。一部の実施形態では、係止部材が、真空釜とアームとの間の間隔を維持するためにカム上の複数の係合表面のうちの１つに選択的に係合される。一部の実施形態では、カムにトルクを適用するための手段が用意される。一部の実施形態では、カムがピンによって画定される軸のまわりを回転し、上記軸に沿うカムの位置が調整され得、さらに、１つまたは複数の保持部である止め部によって制限または維持される。
【００１４】
また、ベルトフィルタが開示され、ここでは、ベルトフィルタが上述した調整可能真空釜組立体を備える。
また、フィルタのための改修キットが開示される。キットが、フィルタのアームまたは別のフレーム部分に設置されるように構成されるブラケットと、上記のブラケットに動作可能に結合されるように構成されるカムと、ブラケットに対して回転するのに抵抗するようにカムを保持するように構成される係止部材とを備える。アームが、ベルトフィルタの上記のフレーム部分に枢動可能に取り付けられる揺動アームを備えることができる。カムがブラケットを基準に回転可能であり、真空釜または別の構成要素の一部分に接触するように構成される周囲表面を有する。使用時、カムの回転角度位置を変化させることにより真空釜と上記のブラケットとの間の間隔が効果的に変化し、それにより、それらの間のずれの補償量を提供する。
【００１５】
また、フィルタ内の従来の真空釜組立体の調整性を向上させる方法が開示される。本方法が、フィルタのアームまたはフレーム部分にカムを提供するステップと、アームまたはフレーム部分に対して回転するのに抵抗するようにカムを保持するための係止部材を提供するステップと、真空釜とアームまたはフレーム部分との間の間隔を効果的に変化させて、それによりそれらの間のずれの適切な補償量を提供するためにカムの回転角度位置を変化させるステップと、係止部材を使用してカムを回転しないように係止するステップと、上記のフィルタの運転中に真空釜と上記のアームまたはフレーム部分との間の適切な間隔を維持するステップとを含む。
【図面の簡単な説明】
【００１６】
【図１】従来の水平ベルトフィルタを示す端部断面図である。
【図２】図１に示されるベルトフィルタの真空釜を示す詳細な端面図である。
【図３】一部の実施形態による調整可能真空釜を示す図である。
【図４】図１に示される従来の真空釜を示す側面図である。
【図５】図３に示される調整可能真空釜を示す側面図である。
【図６】図３に示される調整可能真空釜を示す詳細な分解図である。
【図７】図３に示される調整可能真空釜を示す等角断面図である。
【図８】図３に示される調整可能真空釜を示す広範囲の等角図である。
【発明を実施するための形態】
【００１７】
図３および５〜８が改善された調整可能真空釜組立体１９０を示す。真空釜組立体１９０が、フィルタ９００（例えば、水平ベルトフィルタ）のフレーム部分に枢動可能に取り付けられる揺動アーム１４０を備える。揺動アーム１４０が、ピン、ダボ、ヒンジ、てこ台、または、フィルタ９００のフレーム９３０に設けられる別の等価のデバイスなどの、第２の枢動部材９３６に繋げられるように構成される第１の枢動部材１４６を有する枢動ブラケット１４１を備える。示される例示の実施形態では、第１の枢動部材１４６はピンまたはロッドを受けるのに適切なアパーチャとして用意されるが、第１の枢動部材１４６は同様に、限定しないが、ヒンジの一部分または別の枢動機構であってもよい。１つまたは複数の流出ポート１５８と、細長い入口１５１と、流体および湿気を回収、保持および供給するのに適する流路１５２とを有する真空釜１５０が、真空釜１５０上の少なくとも１つの取付具１５７を通過する少なくとも１つの固定具１５３を介して揺動アーム１４０に設置される。多数のアパーチャ１５５を有する１つまたは複数の摩耗プレート１５９が真空釜１５０とベルト９１０との間で犠牲界面として機能することができる。各摩耗プレート１５９内のアパーチャ１５５により、流体および湿気がベルト９１０の孔９１２を通過して、ベルト９１０の下方に配置される真空釜組立体１９０に入ることが可能となる。示されないが、別法として、各摩耗プレート１５９がそれらの間に２つの平行な摩耗プレートを備えることもでき、それらの間隔によりやはり流体が通過することが可能となることも想定される。枢動ブラケット１４１および第１の枢動部材１４６の反対側で、第１の固定部分１４４が揺動アーム１４０の遠位端に設けられる。第１の固定部分１４４は、フィルタ９００のフレーム９３０上の所定に位置に設けられる相補的な第２の固定部分（図示せず）に対合するように構成される。第１の固定部分１４４と第２の固定部分（図示せず）との間の係合が真空釜１５０および摩耗プレート１５９をベルト９１０に密に繋げた状態で維持するように働く。
【００１８】
フィルタ９００の上側部分と下側部分との間を延在する少なくともＺ軸方向において真空釜１５０の取付具１５７を最初に支持する少なくとも１つのカム１７０を使用することにより、真空釜１５０と揺動アーム１４０との間の間隔の精巧な調整性が得られる。カム１７０を少なくとも１つの回転自由度において一定の可動範囲で回転可能である。この少なくとも１つの回転自由度は、枢動ブラケット１４１と第１の固定部分１４４との間を延在する揺動アーム１４０の長軸に概して平行な軸のまわりである。しかし、示されないが、上記の少なくとも１つの回転自由度は、別法として、以下でさらに詳細に説明されるように揺動アーム１４０の長軸に対して概して垂直な軸のまわりとしてもよい。一部の好適な実施形態では、カム１７０は円形であり、Ｚ軸方向において、０．５ｍｍ〜５ｍｍの増分、さらに好適には１ｍｍから３ｍｍの間の増分、例えば１．５ｍｍの増分で真空釜１５０を独立して垂直方向に調整するのを可能にする。
【００１９】
揺動アーム１４０が、１組の１つまたは複数の長円形開口部１４２を備え、これらの長円形開口部１４２は、フィルタ９００を概して横断するＸ−Ｚ平面内をＸ軸方向の長手方向に延在することができる。１つまたは複数の固定具１６３が上記の長円形開口部１４２を通って延在し、揺動アーム１４０に対してブラケット１６０を保持する。長円形開口部１４２の細長い性質により、少なくとも上記のＸ軸方向においてある程度の位置調整性を得ながらブラケット１６０を揺動アーム１４０に設置することが可能となる。示される実施形態では、ブラケット１６０が、固定具１６３を受けるように構成される１組の１つまたは複数の開口部１６１を備える。しかし、示されないが、長円形開口部１４２が代わりにブラケット１６０上に設けられ得、開口部１６１が揺動アーム１４０に設けられ得ることも企図される。また、Ｘ軸において位置を調整するための別の手段が設けられてもよく、これには、限定しないが、軌道、溝路、摺動蟻継手（ｓｌｉｄｉｎｇ  ｄｏｖｅｔａｉｌ  ｊｏｉｎｔ）またはリニア軸受などが含まれる。
【００２０】
揺動アーム１４０が、ベルト９１０に概して平行であるＸ−Ｙ平面内でＸ軸方向の長手方向に延在することができる１組の１つまたは複数の長円形開口部１４３をさらに備えることができる。１つまたは複数の固定具１５３が上記の長円形開口部１４３を通って延在し、揺動アーム１４０に対して取付具１５７を保持する。長円形開口部１４３の細長い性質により、少なくともＸ軸方向においてある程度の位置調整性を得ながら真空釜１５０を揺動アーム１４０に設置することが可能となる。同様に、真空釜１５０に設けられる１つまたは複数の取付具１５７が、上記のＸ−Ｙ平面内のＹ軸方向の長手方向に延在することができる１組の１つまたは複数の長円形開口部１５６を備えることができる。固定具１５３が上記の長円形開口部１４３、１５６を通って延在し、揺動アーム１４０に対して取付具１５７（したがってそれにより真空釜１５０）を固定する。長円形開口部１５６の細長い性質により、少なくともＹ軸方向においてある程度の位置調整性を得ながら真空釜１５０を揺動アーム１４０に設置することが可能となる。示されないが、機能に悪影響を与えることなく細長い開口部のセット１４３および１５６が交換され得ることが企図される。また、長円形開口部１４３、１５６は、全体として、Ｘ−Ｙ平面における位置を調整するための別の手段に置き換えられてもよく、これには、限定しないが、垂直方向の軌道、垂直方向の溝路、垂直方向の摺動蟻継手、平面軸受（ｐｌａｎａｒ  ｂｅａｒｉｎｇ）などが含まれる。本発明による固定具１５３、１６３はナットおよびボルトとして具体的に示されるが、限定しないが、頭部のあるリベット（ｈｅａｄｅｄ  ｒｉｖｅｔ）、クレビスビンおよび溶接スタッドなどを含めた任意適切な種類であってよい。
【００２１】
ブラケット１６０は、中心をオフセットされる上記のカム１７０（つまり、カム１７０は偏心する）に設けられるアパーチャ１７７を介してカム１７０を受けるように構成されるピン１６５を備える。ピン１６５はモジュールであってよいか（例えば、ナットを用いてブラケット１６０に固定されるボルトとして設けられる）、または、ピン１６５はブラケットに永久的に取り付けられてもよい（例えば、溶接スタッド）。
【００２２】
トルクボス１７１がカム１７０に設けられ得る。一部の実施形態では、トルクボス１７１は偏心するかまたは別法として上記のアパーチャ１７７と同軸となる。カム１７０は、上記のアパーチャ１７７から種々の距離のところに配置されかつアパーチャ１７７に対して多様な位置に配置される複数の係合表面１７８をさらに備える。係合表面１７８は、ブラケット１６０に対して少なくとも５自由度でカム１７０を定位置で固定するように適合される係止部材１６９を受け入れるように構成される。少なくとも、係止部材１６９はカム１７０が回転運動するのを防止する。一部の実施形態では、カム１７０はピン１６５およびアパーチャ１７７の軸に沿う方向（すなわち、Ｘ軸方向）に移動することが可能であり、カム１７０の側方移動を制限するために真空釜１５０または真空釜取付具（複数可）１５７あるいは組立体１９０の別の部分に設けられる止め部１５４に接触する。カム１７０上の滑らかな周囲表面により、Ｚ軸方向において真空釜１５０を垂直方向に位置決めすることに影響することなくＸ軸方向またはＹ軸方向でカム１７０を水平方向にある程度変位させることが可能となり、それにより、追加の調整プレートが必要なくなり、現場で上記の調整プレートを組立体９９０に溶接するステップが必要なくなる。所望される場合、カム１７０は、カムの両側に位置する１つまたは複数の保持部１６４、１６６により、揺動アーム１４０に対して６自由度で固定され得る。示されるように、一部の実施形態では、保持部１６４、１６６は、ピン１６５に設けられるねじ部に係合されるねじ切りされる係止ナットを備えることができる。別の実施形態（図示せず）では、保持部１６４、１６６は、ピン１６５に対して軸方向に押圧されるときにピン１６５に係止される内径表面内に食い込み歯（ｂｉｔｉｎｇ  ｔｏｏｔｈ）を有する内側係止ワッシャを備えることができる。さらに別の実施形態では、保持部１６４、１６６は、ピン１６５に横方向に係合される、小型係止歯止めピン（ｓｍａｌｌ  ｌｏｃｋｉｎｇ  ｄｅｔｅｎｔ  ｐｉｎ）、ポジティブ係止ピン、または、止めねじを備えることもできる。
【００２３】
使用時、オペレータがトルクボス１７１にトルクを入力し、それによりカム１７０がピン１６５のまわりを回転する。カム１７０の別の周囲表面が取付具１５７に沿って搭載／摺動され、「従動部」として機能する。カム１７０が回転すると、真空釜１５０がＺ軸方向に沿って上方または下方に移動し、それによりベルト９１０と調整可能真空釜組立体１９０との間の距離が増減される。Ｚ軸方向における調整可能真空釜組立体１９０の所望される位置が設定されると、係止部材１６９がカム１７０上に設けられる係合表面１７８のうちの１つに係合されることにより、ベルト９１０と摩耗プレート１５９との間の間隔が可逆的に定位置に設定され得る。好適には、係合表面１７８には、工場設定の位置を示すための、および、調整量（例えば、ミリメートル）を示すための印が付される。これにより、保守点検の作業員が定期的な保守点検または分解の後で真空釜１５０を再位置合わせするための繰り返しの複数のステップを行うことの必要性が排除される。
【００２４】
示される特定の実施形態では、係合表面１７８は、ピンの形態の係止部材１６９を受けるように構成されるアパーチャである。少なくとも１つの長円形開口部１６７がメジアン／サジタルのＹ−Ｚ平面内のＹ軸方向の長手方向に延在することができる。係止部材１６９が上記の長円形開口部１６７を通って延在することができ、それによりピン１６５のまわりの回転自由度に抵抗してカム１７０を保持することができる。係止部材１６９を固定することは、ブラケット１６０の内側部分およびブラケット１６０の外側部分の両方に設けられる保持部１６２によって促進され得、ここでは、保持部１６２が係止部材１６９に繋げられ、それらの間に長円形開口部１６７およびカム１７０を挟む。結果的に、真空釜１５０が少なくともＺ軸方向においてベルト９１０に対して所望される高さまでプロップアップされ得る。
【００２５】
１つまたは複数の長円形開口部１６７の細長い性質により、「ペグインホール」構成を使用して複数の回転角度でブラケット１６０に対してカム１７０を固定的に位置決めすることが可能となる。しかし、図示しないが、長円形開口部１６７、保持部１６９および係合表面１７８が、ピン１６５のまわりをカム１７０が回転するのに抵抗して固定させるための別の手段に置き換えられ得ることが企図され、これには、限定しないが、ポールラチェットシステム、ウォーム駆動（例えば、周囲カム表面に歯が付けられる）、クランプ部材、および／あるいは、半永久的な仮付け溶接または別の形態の可逆的もしくは一時的な接着剤接合が含まれる。具体的にはクリップとして示されるが、本発明による保持部１６２が、限定しないが、頭部のあるリベット、クレビスピンおよび止めねじなどを含めた任意適切な種類であってよいことに留意されたい。
【００２６】
真空釜１５０のＺ軸の位置がカム１７０によって設定されて係止部材１６９によって固定されると、固定具１５３が、少なくともＺ軸方向において真空釜１５０を揺動アーム１４０にさらに固定するために完全に締められ得るかまたは別の形で係合され得る。しかし、固定具１５３を設定する前に、固定具１５３、１６３を緩めてブラケット１６０を揺動アーム１４０に沿わせてＸ軸方向に摺動させることにより、ベルト９１０に対して真空釜１５０の水平方向位置をわずかに調整することができ、ここでは、固定具１６３、１５３はそれぞれ長円形開口部１４２、１４３内で摺動する。次いで、固定具１５３、１６３を締めることにより、ブラケット１６０および真空釜１５０が揺動アーム１４０に対して定位置で固定され得る。
【００２７】
別法として、より好適には、固定具１５３を緩めて真空釜１５０を揺動アーム１４０に沿わせてＸ軸方向の所望される位置まで摺動させることにより、ベルト９１０に対して真空釜１５０の水平方向位置を調整することもでき、ここでは、固定具１５３が揺動アーム１４０の長円形開口部１４３内で摺動する。揺動アーム１４０に対して真空釜１５０を固定することは、揺動アーム１４０に対してブラケット１６０を固定することを目的として固定具１６３を締めることによって開始される。ブラケット１６０から延在するピン１６５上に設けられる保持部１６４、１６６がＸ軸方向においてピン１６５に沿うように配置され、それによりカム１７０が止め部１５４に逆らって横方向に移動される。Ｘ軸方向に作用する力がカム１７０により止め部１５４に適用され、ベルト９１０内の孔９１２に長手方向において位置合わせされるように真空釜１５０が移動されるか曲げられる。次いで、ピン１６５のまわりをカム１７０を所望される位置まで回転させて係止部材１６９を用いてカム１７０の回転位置を固定することにより、真空釜１５０のＺ軸の位置が設定され得る。その後、少なくともＺ軸方向において揺動アーム１４０に対して真空釜１５０を固定するために、固定具１５３が完全に締められ得るかまたは別の形で係合され得る。
【００２８】
請負業者または別の事業体が、ベルトフィルタ、真空釜組立体、または、真空釜組立体の構成要素を提供することができるか、あるいは、示されて説明されるように、ベルトフィルタまたは真空釜組立体の全体または一部を運転することができる。例えば、請負業者は、ベルトフィルタまたは真空釜組立体を設計または運転することに関連するプロジェクトの入札要求を受けることができるか、あるいは、請負業者はこれらのシステムおよびプロセスを設計することをクライアントに提案することができる。次いで、請負業者は例えば、上で考察した実施形態で示されたおよび／または説明されたデバイスのうちの任意の１つまたは複数あるいはその特徴的構成を提供することができる。請負業者は、これらのデバイスを販売することにより、または、これらのデバイスを販売することを提案することにより、これらのデバイスを提供することができる。請負業者は、個別のクライアントまたは顧客の設計基準に適合するようなサイズ、形状、および／または、それ以外の構成を有する多様な実施形態を提供することができる。請負業者は、開示されるデバイスの構成要素または上記のデバイスを提供するのに使用される別のデバイスの製造、供給、販売または設置を外注することができる。また、請負業者は、用地またはデザインの調査を行うことができるか、あるいは、デバイスを製造するに使用される材料を積み重ねておくためのまたはデバイスおよび／またはその構成要素を保管しておくための１つまたは複数の保管場所を指定することができる。また、請負業者は、提供されたデバイスを維持、修正または改良することができる。請負業者は、上記の保守点検または修正を行うのに必要となるサービスを外注するかまたはそのようなサービスまたは構成要素を直接に提供することにより、このような保守点検および修正を実施することができ、一部の事例では、請負業者は、本明細書で開示される１つまたは複数の方法ステップ、デバイス、構成要素、または、システムおよびプロセスの特徴的構成を含む修正されるフィルタシステムのところに届けるために、既に存在する従来のフィルタ、真空釜組立体またはその部品を「改修キット」を用いて修正することができる。
【００２９】
特定の実施形態および用途に関連させて本発明を説明してきたが、当業者であれば、本教示に照らして、特許請求される範囲の精神から逸脱することなくかつ特許請求される範囲から逸脱することなく、追加の実施形態および修正形態を作ることができるであろう。
【００３０】
例えば、揺動アーム１４０および対応する真空釜１５０がフィルタ９００の全体のサイズおよび設計仕様に応じて多様な形状およびサイズを有し得ることが想定される。また、長円形開口部１４２、１４３、１５６、１６７は主として貫通孔として図面に示されるが、長円形開口部は閉じた開口部であってよく、ならびに／あるいは、限定しないが、以下のうちの任意の１つまたは複数を含むこともできる：切抜き、一連の密接する非長円形アパーチャ（ねじ切りされてもされなくてもよい）、切欠き、歯止め（ｄｅｔｅｎｔ）構成、ポケット、ポールラチェット式調整機構、溝、溝路、窪み、蟻継手、および／または、下切込み。同様に、係止部材１６９などの本明細書で示される雄型部材は、例えば止めねじの形態の、ねじ部を含むことができる。
【００３１】
さらに、調整可能真空釜組立体１９０の特徴的構成および構成要素は、「改修キット（ｒｅｔｒｏｆｉｔ  ｋｉｔ）」内に個別または集合的に設けられる、モジュール構成要素、着脱自在構成要素、「ボルト止め（ｂｏｌｔ−ｏｎ）」構成要素または「溶接付け（ｗｅｌｄ−ｏｎ）」構成要素であってよい。したがって、これらの構成要素は本発明の利点を得るために既に存在する従来の真空釜組立体９９０と交換され得るかそのような従来の真空釜組立体９９０に追加され得る。一部の例では、改修キットは、既に存在する従来の取付具９５７に対応するために１つまたは複数の取付具１５７またはアダプタを備えることができる。上記アダプタは、既に存在する従来の取付具９５７または既に存在する従来真空釜９５０の別の部分にボルト止めされるか溶接され得る。このようなアダプタは、１つまたは複数の止め部１５４、追加のフランジまたはフランジエクステンダ、延長部材、スペーサ、あるいは、少なくとも１つの固定具１５３を受け入れるように構成される長円形開口部１５６などの１つまたは複数の一般的な設置構成を含むことができる。
【００３２】
一部の実施形態では、カム１７０にトルクを適用するための別の手段が好まれる場合、トルクボス１７１が排除され得ることを知っておくべきである。このような手段には、例えば、カム１７０の選択される周囲位置に位置する１つまたは複数の「平坦部」として設けられるトルク適用表面が含まれてよい。また、このような手段には、カムから延在するレバーまたはハンドル、あるいは、別個のトルクアームまたはチータバー（ｃｈｅａｔｅｒ  ｂａｒ）によって係合され得る周囲キャビティが含まれてよい。
【００３３】
一部の実施形態では、本明細書で開示される雄型構成要素および雌型構成要素は逆であってもよく、その場合でも本開示の範囲内にあることが企図される。例えば、ブラケット１６０に設けられる雄型ピン１６５およびカム１７０に設けられる雌型アパーチャは逆であってもよく、その場合ピン１６４がカム１７０から延在してブラケット１６０に入る。係合表面１７８がカム１７０上に設けられて示され、長円形開口部１６７がブラケット１６０上に設けられて示されるが、同様に、明らかにこれらの２つは逆であってもよく、その場合係合表面がブラケット１６０上に設けられ、長円形開口部１６７がカム１７０上に設けられる。
【００３４】
また、固定具１５３、１６３を接合させることは、限定しないが、ねじ込み式接続、塑性変形、溶接、接着、これらの組み合わせ、または、別の等価の手段を使用しても達成され得る。取付具１５７および／または固定具１５３、１６３は、意図される目的に適する任意の数または構成で用意され得る。図７〜８に示されるように、本発明によるブラケット１６０は１つまたは複数の摩耗ベルトガイド１８０をさらに備えることができ、これらは各々が、摩耗プレート１５９内に形成される上側溝内を移動してベルト９１０に接触する摩耗ベルト（図示せず）を支持するためのおよび／または摩耗ベルトを横方向に誘導するための１つまたは複数のローラまたは軸受部材１８２をその上に有する。
【００３５】
さらに、説明される構成要素の数および構成も多様であってよい。例えば、図４〜８には２つのカム１７０が示されるが、本発明の範囲から逸脱することなく単一のカム１７０または２つ以上のカム１７０も採用され得る。また、カム１７０は揺動アーム１４０に設置されて示されているが、逆に取付具１５７に接続されてもよく、その場合、カム１７０の周囲表面が揺動アーム１４０の一部分に係合され、それによりそれらの間の間隔が効果的に変化する。別法として、カム１７０は揺動アーム１４０に直接に設けられてもよく、その場合ブラケット１６０は必要ない。これは、例えば、揺動アーム１４０と平行となるようにカム１７０を図面に示される位置から９０度のところに向けることにより、達成され得、揺動アーム１４０には直接にピン１６５が設けられ、その上でカム１７０が回転し、さらに、揺動アーム１４０に対してカム１７０が回転するのを防止するための、揺動アーム１４０に係合されるかまたは別の形で繋げられる係止部材１６９が設けられる。
【００３６】
一部の例では、揺動アーム１４０が、Ｚ軸方向において真空釜１５０を上方および下方に移動させるリンク装置（例えば、４バー式（ｆｏｕｒ  ｂａｒ  ｔｙｐｅ））の一部分を含むことができる。また、揺動アーム１４０は、ベルト９１０に対して「傾斜」または枢動して示されるように正確な横断経路を移動するように構成されてもよい。さらに、ブラケット１６０は、米国特許第４，３３６，１３９号明細書、米国特許第４，０８０，２９８号明細書、米国特許第３，９９２，２９８号明細書、米国特許第４，６７１，８７６号明細書で開示されるような別の種類の真空釜１５０上昇／降下システムに設置されてもよい。一部の例では、揺動アーム１４０は必ずしも「揺動」するように構成されなくてもよい。言い換えると、本明細書で使用される「アーム」という用語がフィルタのフレーム９３０の静止部分を単に含むことができるか、または、両端部が別のフレーム部分９３０に接続されるアーム１４０を含むことができることが想定される。このような接続は、溶接、ボルト止め、または、調整可能設置手段を使用して実現され得る。アーム１４０は揺動することなく上記のベルト９１０に対してＺ軸方向に線形に移動してもよく、これは例えば、１つまたは複数の機械的アクチュエータ、圧縮性または非圧縮性流体シリンダ、あるいは、電気ソレノイドを使用することを介する。一部の実施形態では、アーム１４０は軌道上に搭載され得、カム１７０が、アーム１４０の端部分に隣接するフレーム部分９３０に固定され得る。フレーム９３０に対してアーム１４０をＺ軸方向で位置決めすることおよび傾斜させることは、カム１７０を回転させてその後で係止部材１６９を使用してフレーム９３０に対してカム１７０を静止させることにより、調整され得る。
【００３７】
具体的には水平ベルトフィルタ９００上に示されるが、本発明の調整可能真空釜組立体１９０が、２つの隣接する構成要素の間で精巧な調整を迅速に行うことが必要とされるような別の用途でも使用され得ることにも留意されたい。例えば、本明細書で示されて説明される組立体１９０およびその構成要素はテーブルフィルタおよびベルトフィルタプレスでも同様に適用され得る。
【００３８】
したがって、本明細書の図面および説明が本発明を理解するのを促進するために単に例として提供されるものであり、本発明の範囲を限定するものとして解釈されるべきではないことを理解されたい。
【符号の説明】
【００３９】
９００  フィルタ
９１０  排流ベルト
９１２  孔
９１４  フィルタ媒体
９２０  リターンローラ
９３０  フレーム
９３６  第２の枢動部材
９４０  揺動アーム
９４１  枢動ブラケット
９４４  第１の固定部分
９４６  第１の枢動部材
９５０  真空釜
９５１  入口
９５２  流路
９５３  固定具
９５５  アパーチャ
９５７  取付具
９５９  摩耗プレート
９６０  シム
９９０  従来の真空釜組立体
１４０  揺動アーム
１４１  枢動ブラケット
１４２  長円形開口部（Ｘ軸方向）
１４３  長円形開口部（Ｘ軸方向）
１４４  第１の固定部分
１４６  第１の枢動部材
１５０  真空釜
１５１  入口
１５２  流路
１５３  固定具
１５４  止め
１５５  アパーチャ
１５６  長円形開口部（Ｙ軸方向）
１５７  取付具
１５８  ポート
１５９  摩耗プレート
１６０  ブラケット
１６１  開口部
１６２  保持部
１６３  固定具
１６４  保持部
１６５  ピン
１６６  保持部
１６７  長円形開口部（Ｙ軸方向）
１６９  係止部材
１７０  カム
１７１  トルクボス
１７７  アパーチャ
１７８  複数の係合表面
１８０  摩耗ベルトガイド
１８２  ローラまたは軸受部材
１９０  調整可能真空釜組立体
【図１】
2014534064.tif 000003
【図２】
2014534064.tif 000004
【図３】
2014534064.tif 000005
【図４】
2014534064.tif 000006
【図５】
2014534064.tif 000007
【図６】
2014534064.tif 000008
【図７】
2014534064.tif 000009
【図８】
2014534064.tif 000010
【国際調査報告】
2014534064.tif 000011